(57)【特許請求の範囲】
【請求項１】
２つの装置を、伝送すべきデータに対するエラー保護に関して相互に区別される多数のデータ伝送方法の内の所定の１つのデータ伝送方法に同期するための方法において、
３つの同期情報を用いて、
−第１の装置は、第１の同期情報を第２の装置に送信し、第２の装置は、第３の同期情報を第１の装置に送信するようにして、第１の装置と第２の装置が同期情報を交換し、
その際、それぞれ１つの同期情報には、前記同期情報を送信する各装置が実行することができる最高レベルのエラー保護機能のあるデータ伝送方法を特徴付ける指示部を含んでおり、
−それぞれの受信を行う前記装置により、受信された前記同期情報から、各同期情報のデータ伝送方法を求め、
−求められた前記各データ伝送方法を実行することができる前記装置により、前記第２の同期情報を形成して、その都度他方の前記装置に伝送し、
−前記第２の同期情報から、前記第２の同期情報のデータ伝送方法を求め、前記第２の同期情報に基づいて、前記第２の同期情報の前記データ伝送方法が、前記第１の装置と前記第２の装置が実行することができるデータ伝送方法であることを検出し、
−前記第１の装置と第２の装置を、前記求められたデータ伝送方法に同期する
ことを特徴とする方法。
【請求項２】
各同期情報の内の少なくとも１つの同期情報を、所定回数繰り返して伝送する請求項１記載の方法。
【請求項３】
データ伝送方法が所定回数繰り返して求められる場合、前記データ伝送方法を検出済みとして解釈する請求項２記載の方法。
【請求項４】
少なくとも１つのデータ伝送方法を、最低レベルのデータ伝送方法で初めて、同期情報を、前記データ伝送方法の各特徴と比較するようにして求める請求項１から３までの何れか１記載の方法。
【請求項５】
方法をＩＴＵ標準Ｈ．２２３により使用する請求項１から４までの何れか１記載の方法。
【請求項６】
２つの装置を、伝送すべきデータに対するエラー保護に関して相互に区別される多数のデータ伝送方法の内の所定の１つのデータ伝送方法に同期するための通信システムにおいて、
３つの同期情報を用いて、
−第１の装置は、第１の同期情報を第２の装置に送信し、第２の装置は、第３の同期情報を第１の装置に送信するようにして、第１の装置と第２の装置が同期情報を交換し、その際、それぞれ１つの同期情報には、前記同期情報を送信する各装置が実行することができる最高レベルのエラー保護機能付のデータ伝送方法を特徴付けるデータが含まれており、
−それぞれの受信する装置によって、受信された前記同期情報から、それぞれの同期情報のデータ伝送方法が求められ、
−求められた、それぞれの前記データ伝送方法を実行することができる前記装置により、前記第２の同期情報が形成されて、その都度他方の前記装置に伝送され、
−前記第２の同期情報から、前記第２の同期情報のデータ伝送方法が求められ、前記第２の同期情報に基づいて、前記第２の同期情報の前記データ伝送方法が、前記第１の装置と前記第２の装置が実行することができるデータ伝送方法であることが検出され、
−前記両装置が、前記求められたデータ伝送方法に同期される
ことを特徴とする通信システム。
【請求項７】
各装置の内の少なくとも一方の装置は、各同期情報の内の少なくとも１つの同期情報が、所定回数繰り返して伝送されるように構成されている請求項６記載の通信システム。
【請求項８】
各装置の内の少なくとも一方の装置は、データ伝送方法が所定回数繰り返して求められる場合、前記データ伝送方法は検出済みとして解釈されるように構成されている請求項７記載の通信システム。
【請求項９】
各装置は、方法がＩＴＵ標準Ｈ．２２３により使用されるように構成されている請求項６から８までの何れか１記載の通信システム。
【請求項１０】
各装置の内の少なくとも一方の装置は、モービル通信端末装置として構成されている請求項６から９までの何れか１記載の通信システム。
【請求項１１】
各装置の内の少なくとも一方の装置は、少なくとも１つのデータ伝送方法が、最低レベルのデータ伝送方法で初めて、同期情報が、前記データ伝送方法の各特徴と比較されるようにして求められるように構成されている請求項６から１０までの何れか１記載の通信システム。
【発明の詳細な説明】
【０００１】
本発明は、データ伝送方法での２つの装置の同期方法及び通信システムに関する。
【０００２】
圧縮されたデータ、例えば、オーディオデータ、テキストデータ、ビデオデータ又は他の制御情報データを伝送する際、伝送中のエラーが、引き続き行われる非圧縮過程に障害を及ぼして、データを再び正確に再構成することができなくなることがある。
【０００３】
高圧縮されたデータ流の伝送の領域内で、図２に示されている通信システムの以下のアーキテクチュアが公知である（引用刊行物［１］参照）。
【０００４】
所定数のアプリケーション層Ａｉ（ｉ＝１．．．ｎ）のアプリケーションは、第１の装置Ｖ１から第２の装置Ｖ２に伝送されるデータＤｉを発生する。伝送すべきデータＤｉは、それぞれ、各アプリケーションＡｉに対応付けされた所謂適合化層（Ａｄａｐｔｉｏｎｓｓｃｈｉｃｈｔ）ＡＬｉに供給される。
【０００５】
引用刊行物［１］に記載された種々異なる種類の適合化層は、種々異なる特徴データの処理のために使用される。
【０００６】
データとは、更に、例えば、オーディオデータ、ビデオデータ、テキストデータ、殊に、ＡＳＣＩＩコードにより符号化されたデータのことであり、一般的に、デジタル形式で伝送される各種データのことである。
【０００７】
各適合化層ＡＬｉから、適合化されたデータＡＤｉは、マルチプレクサＭＵＸ／ＤＥＭＵＸに、一緒に供給された、即ち、多重化されたデータ流ＸＤを形成するために供給される。
【０００８】
伝送ユニットＵＥ、例えば、線接続又はモービル無線網を介して、データ流ＸＤが第２の装置Ｖ２に伝送される。第２の装置Ｖ２は、第１の装置Ｖ１と同じ構造である。第２の装置Ｖ２では、多重化されたデータ流ＸＤが再度個別の適合化データＡＤｉに分割され、即ち、多重分離される。適合化データＡＤｉは、マルチプレクサ／デマルチプレクサＭＵＸ／ＤＥＭＵＸから、エレメントを第２の装置Ｖ２の適合化層ＡＬｉに供給する。個別通信路内に両方向矢印によって、第１の装置Ｖ１と第２の装置Ｖ２との間で双方向通信することができることが示されている。
【０００９】
引用刊行物［１］から公知の方法では、それぞれ適合層内のデータに対して、固有のエラー検出方法及び／又はエラー補正方法が実行される。
【００１０】
エラー検出方法及び／又はエラー補正方法が、ハイレベル（ｈｏｃｈｗｅｒｔｉｇｅｒ）乃至エラーに対してローブストであればある程、即ち、伝送時にエラーを検出乃至補正することができればできる程、エラー補正乃至エラー検出のために必要な、付加的な冗長情報によってデータ流を伝送する際の所要帯域幅が大きくなる。更に、性能が高くなるに連れて、エラー検出乃至エラー補正方法の複雑度が大きくなり、その結果、送信局でのエンコーディングのためにも、受信局でのデコーディングのためにも所要計算時間が大きくなる。
【００１１】
この理由から、引用刊行物［１］，［２］，［３］，［４］から、エラーに対してローブストであるが、そのために多少複雑な種々のエラー検出方法乃至エラー補正方法を行うことが公知である。
【００１２】
引用刊行物［１］，［２］，［３］，［４］には、更にデータ伝送方法と呼ばれる、種々の重要性（レベル０．．．３）の種々異なる方法が定義されている。各装置が実行する必要がある第１のデータ伝送方法（レベル０）、第２のデータ伝送方法（レベル１）、第３のデータ伝送方法（レベル２）、第４のデータ伝送方法（レベル３）。エラーに対するローブストさ、即ち、エラー保護（エラー検出乃至エラー補正）に関する方法の重要性は、第１のデータ伝送方法から第４のデータ伝送方法に行くに連れて増大する。
【００１３】
引用刊行物［１］から公知の方法により作動する各装置は、少なくとも第１のデータ伝送方法を実行できるようにされている必要がある。それ以外のデータ伝送方法は任意であり、つまり、最大エラー保護の同じ手段を実行しない種々の装置は相互に関連付けることができる。この場合、通信時に問題が生じることがある。つまり、通信接続の初めに、どのデータ伝送方法によって、データを伝送すべきか、先ず決める必要があるからである（データ伝送方法での同期）。
【００１４】
本発明の課題は、２つの装置を、多数のデータ伝送方法の内の所定の１つのデータ伝送方法に簡単且つ自動的に同期するための方法及び通信システムを提供することである。
【００１５】
本発明によると、この課題は、請求項１記載の方法により、並びに、請求項８記載の通信システムにより解決される。
【００１６】
３つの同期情報を用いて、第１の装置は、第１の同期情報を第２の装置に送信し、第２の装置は、第３の同期情報を第１の装置に送信するようにして、第１の装置と第２の装置が同期情報を交換し、その際、それぞれ１つの同期情報には、同期情報を送信する各装置が実行することができる最高レベルのエラー保護機能のあるデータ伝送方法を特徴付ける指示部を含んでおり、それぞれの受信を行う装置により、受信された同期情報から、各同期情報のデータ伝送方法を求め、求められた各データ伝送方法を実行することができる装置により、第２の同期情報を形成して、その都度他方の前記装置に伝送し、第２の同期情報から、第２の同期情報のデータ伝送方法を求め、第２の同期情報に基づいて、第２の同期情報のデータ伝送方法が、第１の装置と第２の装置が実行することができるデータ伝送方法であることを検出し、第１の装置と第２の装置を、前記求められたデータ伝送方法に同期する。
【００１７】
請求項６記載の通信システムは、２つの装置を有しており、３つの同期情報を用いて、第１の装置は、第１の同期情報を第２の装置に送信し、第２の装置は、第３の同期情報を第１の装置に送信するようにして、第１の装置と第２の装置が同期情報を交換し、その際、それぞれ１つの同期情報には、同期情報を送信する各装置が実行することができる最高レベルのエラー保護機能付のデータ伝送方法を特徴付けるデータが含まれており、それぞれの受信する装置によって、受信された同期情報から、それぞれの同期情報のデータ伝送方法が求められ、求められた、それぞれのデータ伝送方法を実行することができる装置により、第２の同期情報が形成されて、その都度他方の装置に伝送され、第２の同期情報から、第２の同期情報のデータ伝送方法が求められ、第２の同期情報に基づいて、第２の同期情報のデータ伝送方法が、第１の装置と第２の装置が実行することができるデータ伝送方法であることが検出され、両装置が、前記求められたデータ伝送方法に同期される。
【００１８】
従って、付加的な複雑性なしに、使用すべきデータ伝送方法に関して２つの装置を同期し、従って、別の通信の共通の基礎を形成することが達成される同期手段が提供される。
【００１９】
本発明の別の利点は、本発明は、それぞれの構成で更に定義されていない未来のデータ伝送方法に直ぐに拡張することができる点にある。従って、本発明によると、データ伝送方法を未来の時点で更に改良実施する際に、自動的に常に「旧式装置」とのコンパチビリティを達成することができる。
【００２０】
本発明は、装置が同期情報を交換し、この同期情報により、その都度、どのデータ伝送方法が、それぞれの装置によって最大支持されるかについて指示される。同期情報の形式に基づいて、受信装置は、所定のデータ伝送方法を検出し、その固有の、推奨されているデータ伝送方法が、他の装置によって推奨されているデータ伝送方法よりも高いレベルである場合に、自動的に、そのように効率的でない装置のデータ伝送方法が選択され、応答信号として、選択されたデータ伝送方法を有する同期情報が形成されて、送信される。
【００２１】
本発明の有利な実施例は、従属請求項から得られる。
【００２２】
受信装置で、同期情報からデータ伝送方法の検出の信頼度を高めるために、有利には、装置は、同期情報を複数回送信し、複数回同じ状態で検出された場合、受信装置は、データ伝送方法を検出済みとして解釈する。
【００２３】
以下、本発明について図示の実施例を用いて説明する。
【００２４】
図１は、第１の装置と第２の装置との間での情報の交換を説明する情報の流れ図の略図、
図２は、引用刊行物［１］から公知の方法による装置のアーキテクチュアを説明するブロック図、
図３ａから図３ｄは、種々異なるデータ伝送方法による情報のデータフォーマットを示す略図である。
【００２５】
図３ａから図３ｄには、引用刊行物［１］，［２］，［３］，［４］に記載されている種々異なるデータ伝送方法のデータフォーマットが示されている。
【００２６】
第１の伝送方法（レベル０）（Ｈ．２２３標準により構成されている）は、多重化データＸＤに分割されているデータパケット３０１（図３ａ参照）の以下の構造を有している：
−データパケット３０１の内部の長さ８ビットの一義的な同期語（データパケット３０１の開始を一義的に示す）；
−制御情報３０３；
−装置Ｖ１，Ｖ２間で伝送すべきデータが伝送される有効データ領域３０４。
【００２７】
データパケット３０１は、その終端が再度一義的な同期語によって限定されている。
【００２８】
全てのデータ伝送方法、Ｈ．２２３，Ｈ．２２３／Ａｎｎｅｘ  Ａ，Ｈ．２２３／Ａｎｎｅｘ  Ｂ並びにＨ．２２３／Ａｎｎｅｘ  Ｃの場合、データパケットの基本的な構造は同一である。
【００２９】
しかし、データパケットのフォーマットは、データパケットの第１の両領域の長さ、即ち、同期語３０２とヘッダ３０３、即ち、制御情報との長さが異なる。
【００３０】
例えば、Ｈ．２２３及びＨ．２２３／Ａｎｎｅｘ  Ａによる方法の場合、同期語３０２は、２４ビットであり、Ｈ．２２３／Ａｎｎｅｘ  Ｂによる方法の場合、３２ビットである。Ｈ．２２３／Ａｎｎｅｘ  Ｃによる方法は、同様に３２ビット長の同期語３０２を有している。
【００３１】
各データ伝送方法に対して、特定のスキーマが設けられており、このスキーマにより、個別アプリケーションＡｉの有効データが伝送されない場合に情報を伝送することができる。
【００３２】
このスキーマは、後続で使用され、ストップシーケンスと呼ばれる。第１のデータ伝送方法の範囲内で、ストップシーケンスとして、８ビットの長さの３つの同期語のシーケンス（図３ｂ参照）が伝送される。
【００３３】
図３ｃには、方法Ｈ．２２３／Ａｎｎｅｘ  Ａにより使用されるストップシーケンス３２０が示されている。長さ８ビットの３つの同期語３０２並びに１６ビットの長さの疑似シーケンス３２１がストップシーケンス３２０として使用される。
【００３４】
Ｈ．２２３／Ａｎｎｅｘ  Ｂ（図３ｄ参照）による方法では、ストップシーケンス３２０として長さ８ビットの一連の同期語３０２、ヘッダ情報３０３、長さ８ビットの同期語３０２、並びに、ヘッダ情報３０３及び長さ３２ビットの疑似シーケンス３３１が使用されている。Ｈ．２２３／Ａｎｎｅｘ  Ｂによる方法のストップシーケンス３３０の一義的な特徴付けのために、ヘッダ領域内に、マルチプレックスコードとして、値０の４ビットシーケンスを挿入するようにされている。
【００３５】
Ｈ．２２３／Ａｎｎｅｘ  Ｃによる方法のストップシーケンス（図示していない）の特徴付けは、Ｈ．２２３／Ａｎｎｅｘ  Ｂによる方法のストップシーケンスのヘッダ領域３０２内に、マルチプレックスコードが入力されるヘッダ領域３０３の４ビットが、全て値１に対応付けて得られるストップシーケンスの同じ構造で得られるようにして一義的に行われる。
【００３６】
従って、ストップシーケンスの送信によって、それぞれ一義的にそれぞれのデータ伝送方法を特徴付けることができ、それに基づいて、ストップシーケンス３１０，３２０，３３０の構造がその都度利用される。
【００３７】
更に、簡単な図示のために、以下の出力状況が前提とされる。
【００３８】
第１の装置Ｖ１は、第１のデータ伝送方法（Ｈ．２２３）、及び、第２のデータ伝送方法（Ｈ．２２３／Ａｎｎｅｘ  Ａ）を支持する。第２の装置Ｖ２は、全てのデータ伝送方法、即ち、第１のデータ伝送方法（Ｈ．２２３）、第２のデータ伝送方法（ｈ．２２３／Ａｎｎｅｘ  Ａ）、第３のデータ伝送方法（Ｈ．２２３／Ａｎｎｅｘ  Ｂ）及び第４のデータ伝送方法（Ｈ．２２３／Ａｎｎｅｘ  Ｃ）を支持する。
【００３９】
同期のために、即ち、データ伝送のために有効データから、利用すべきデータ伝送方法の選択のために、各装置Ｖ１，Ｖ２は、それぞれ同期情報、即ち、それぞれストップシーケンス（エラー保護（エラー検出及び／又はエラー補正）に関して最も高いレベルのデータ伝送方法を特徴付ける）を送信し、このストップシーケンスは、それぞれの装置Ｖ１，Ｖ２を支持する。
【００４０】
第１の装置Ｖ１は、第１の同期情報をストップシーケンス３２０（第２のデータ伝送方法を特徴付ける）の形式で送信する。同期情報の信頼度を高めるために、ストップシーケンス３２０が繰り返し送信する。
【００４１】
第２の装置Ｖ２は、第１の同期情報を複数回繰り返し、ストップシーケンス３２０に基づいて第１の装置によって最大限支持されるデータ伝送方法を求める。
【００４２】
これは、データ伝送方法（Ｈ．２２３）に基づいて、第１の同期情報を、第１のデータ伝送方法を示すストップシーケンス３１０のデータフォーマットと比較する（ステップ１０１）ことによって行われる。
【００４３】
引用刊行物［４］に記載されていて、以下のように作動する公知の相関器を使用して、前述の比較が行われる：
長さＬの相関器を用いて、長さＬの所定のビットパターンがデータ流内に含まれているかどうか検査される。これは、比較すべきデータ流の順次連続するＬ個のビットを有する所定のビットパターンをビット毎に比較（ＸＯＲ結合）によって行われる。全てのＬビットが一致している場合、即ち、ＸＯＲ結合後に含まれている１の総和がＬに等しい場合、求めらサーチれたビットパターンは、データ流内に含まれている。全てのＬビットが一致している場合、即ち、ＸＯＲ結合後に含まれている１の総和がＬに等しくない場合、Ｌビットが、長いサーチパターンをデータ流内にシフトされ、結合が繰り返される。エラーのある伝送の際に、ＸＯＲ結合後１の個数がＬよりも大して小さくない場合にも、データ流内のビットパターンは検出されたものとされる。
【００４４】
第１同期情報のストップシーケンスが第１のデータ伝送方法のストップシーケンス３１０と一致しない場合、受信された第１の同期情報が第２のデータ伝送方法のストップシーケンス３２０と比較される。比較は、第１の同期情報からのストップシーケンスが、第２の装置Ｖ２のデータ伝送方法のストップシーケンスと一致する迄連続して実行される（ステップ１０２，１０３）。
【００４５】
第２の装置Ｖ２が、第１の同期情報から、第２の装置Ｖ２によって支持されるデータ伝送方法のストップ情報を検出した場合、第２の装置Ｖ２により、第２の同期情報が形成され、この第２の同期情報は、同様に、求められたストップシーケンスを含み、第２の同期情報は、同様に複数回繰り返されて、第１の装置Ｖ１に送信される。
【００４６】
第２の同期情報は、明らかに、第２の装置Ｖ２が、第１の装置Ｖ１によって「推奨されている」データ伝送方法を受け入れたことの応答信号として使われる。
【００４７】
第１の装置Ｖ１によって、第２の装置Ｖ２によって送信された第３の同期情報が、第４のデータ伝送方法のストップ情報３４０と共に受信される。
【００４８】
第１の装置Ｖ１内でも、上述と同じようにして、ストップシーケンスを検出するようにされる。つまり、第３の同期情報のストップシーケンス３４０は、第１のデータ伝送方法のストップシーケンス３１０と比較される（ステップ１１１）。
【００４９】
このストップシーケンス３１０，３４０が一致しないので、別のステップ１１２で、第３の同期情報のストップ情報３４０が第２のデータ伝送方法のストップ情報３２０と比較される。
【００５０】
この比較は否定的な結果であるが、しかし、第２のデータ伝送方法が、第１の装置Ｖ１によって支持される最大レベルのデータ伝送方法であるので、第１の装置Ｖ１での比較が中断される。
【００５１】
しかし、第２の同期情報が、第２のデータ伝送方法のストップシーケンス３２０と一緒に受信された後、第２の同期情報のストップシーケンスと第１のデータ伝送方法のストップシーケンスとの新たな比較が開始される（ステップ１１３）。
【００５２】
このストップ情報が一致しないので、別の比較で、第２の同期情報のストップシーケンス３２０が、第２のデータ伝送方法のストップシーケンス３２０と比較される（ステップ１１４）。第２の同期情報のストップシーケンスと第２のデータ伝送情報のストップシーケンス３２０とのストップシーケンスの一致が求められると、第１の装置Ｖ１で、どのデータ伝送方法が有効データの未来の伝送に使用されるのか検出される。
【００５３】
第１の装置Ｖ１と第２の装置Ｖ２との間の別の通信が、第２の同期されたデータ伝送方法により行われる。
【００５４】
このようにして、簡単に、付加的な制御情報のコストなしに、両装置Ｖ１及びＶ２によって最大支持される最高レベルのデータ伝送方法が、通信、つまり、有効データ１００の伝送用に使用される。
【００５５】
従って、本発明の方法は、標準的な同形式で既存の通信標準に挿入される。
【００５６】
帯域内シグナリングを用いることによって、既存の通信標準、例えば、ＧＳＭ、ＰＳＴＮ又はＤＥＣＴを変える必要はない。既存の通信標準には、ストップシーケンスを検出することができる既存のモジュールが含まれる。従って、既存の通信標準の複雑性を高めないでも、即座に既存の標準方法を統合して、実行することができる。
【００５７】
更に、上述の実施例に対する唯一の択一選択例について説明する。
【００５８】
例えば、択一選択的な実施例では、新たな同期情報が受信される度に、最低レベルのデータ伝送方法の場合にストップシーケンスの比較が繰り返し開始されるのではなくて、同様にに、最後の検査ストップシーケンスの場合にその都度新たな比較を開始することができる。
【００５９】
更に、必ずしも、比較を順次連続して実行する必要もない。この比較は、同様に平行して実行することができ、そうすることによって、同期の速度を速くすることができる。
【００６０】
本発明は、装置が、どのデータ伝送方法が、それぞれの装置によって最大支持されるのかその都度指示する同期情報を交換する点にある。受信装置は、所与のデータ伝送方法を検出し、同期情報の形式に基づいて、その固有の、推奨されているデータ伝送方法が、他の装置によって推奨されているデータ伝送方法よりも高いレベルである場合に、自動的に、そのように効率的でない装置のデータ伝送方法が選択され、応答信号として、選択されたデータ伝送方法を有する同期情報が形成されて、送信される。
本願明細書の範囲内で、以下の刊行物が引用された：
[1] ITU-T Recommandation H.223, Multiplexing Protocol for Low-Bitrate-Multimedia-Communication, 1996
[2] ITU-T Draft Recommandation H.223/Annex A, Multiplexing Protocol for Low-Bitrate-Mobile-Multimedia-Communication Level 1, Draft Version, July 1997
[3] ITU-T Draft Recommandation H.223/Annex B, Multiplexing Protocol for Low-Bitrate-Mobile-Multimedia-Communication Level 2, Draft Version, July 1997
[4] ITU-T Draft Recommandation H.223/Annex C, Multiplexing Protocol for Low-Bitrate-Mobile-Multimedia-Communication Level 3, Draft Version, July 1997
【図面の簡単な説明】
【図１】    第１の装置と第２の装置との間での情報の交換を説明する情報の流れ図の略図
【図２】  引用刊行物［１］から公知の方法による装置のアーキテクチュアを説明するブロック図
【図３】  種々異なるデータ伝送方法による情報のデータフォーマットを示す略図
【図１】
0004197839.tif 000002
【図２】
0004197839.tif 000003
【図３】
0004197839.tif 000004